(57)【特許請求の範囲】
【請求項１】
カメラと、前記カメラと並んで筐体に設置されたカメラ撮影用に周囲を照らすライトと、前記カメラで撮影した画像を表示するディスプレイとを備えるとともに、少なくとも第１の形態から、前記カメラで撮影した画像を前記ディスプレイで確認可能な第２の形態に変形する電子機器であって、
第１の形態から第２の形態に変形されたことを検出する検出手段と、
周囲の照度を測定する測定手段と、
前記検出手段により変形が検出されたときに、前記測定手段により測定された照度が第１の所定値以下であるか否かを判断する第１の判断手段と、
現在時刻が所定の時刻であるか否かを判断する第２の判断手段と、
前記第１の判断手段により、前記測定された照度が前記第１の所定値以下であると判断されるとともに、第２の判断手段により、現在時刻が所定の時刻であると判断された場合、前記ライトを点灯させる点灯制御手段と、
前記測定手段により測定された照度が、第１の所定値より大きくかつ第２の所定値より小さいか否かを判断する第３の判断手段と、
前記第３の判断手段により、前記測定された照度が前記第１の所定値より大きくかつ第２の所定値より小さいと判断されるとともに、第２の判断手段により、現在時刻が所定の時刻であると判断された場合、前記ディスプレイに選択画面を表示して前記ライトを点灯させるか否かの入力を受け付ける入力受付手段と、を備え、
前記点灯制御手段は、前記入力受付手段が前記ライトを点灯させる旨を受け付けた場合、前記ライトを点灯させることを特徴とする電子機器。
【請求項２】
前記点灯制御手段は、前記第１の判断手段により、前記測定された照度が前記第１の所定値より大きいと判断された場合、あるいは、第２の判断手段により、現在時刻が所定の時刻でないと判断された場合、前記ライトを点灯させないことを特徴とする請求項１記載の電子機器。
【請求項３】
前記測定手段は周囲の照度を測定するための照度センサを備え、この照度センサは、電子機器が前記第１の形態であるときには外部に露出せず、前記第２の形態であるときには外部に露出するように設けられたことを特徴とする請求項１記載の電子機器。
【請求項４】
前記測定手段は、前記検出手段により変形が検出されたことに基づいて、照度センサを起動することを特徴とする請求項１記載の電子機器。
【発明の詳細な説明】
【技術分野】
【０００１】
本発明は、周囲を照らすライトを備え、所定の操作に基づいてこのライトを点灯させる電子機器に関する。
【背景技術】
【０００２】
近年の携帯電話機等の電子機器は、通話機能のみでなく、インターネットへのアクセス機能、電子メールの送受信機能、カメラによる撮像機能等、様々な機能を備えている。それに伴って携帯電話機のＬＣＤに表示される情報も増加したため、ＬＣＤにバックライトを備えることが不可欠になってきている。しかしながら、このバックライトは消費電力が大きく、頻繁にバックライトを使用することにより、内蔵する電池が直ぐに消耗してしまうという問題があった。
【０００３】
そこで、表示部及び／又は操作部のバックライトを不要時にはＯＦＦにして不要な消費電力を回避する携帯電話機が提案されている（特許文献１参照）。この携帯電話機は、通話中であるか否かを定期的に光センサ又はその他の手段で検出判定して、通話中には表示部のＬＣＤのバックライト及び表示をＯＦＦにするとともに、バックライト付操作部のバックライトについても携帯電話機の開閉状態または通話状態に応じてＯＮ／ＯＦＦ制御をするものである。
【特許文献１】特開２００５−２７８０４３号公報
【発明の開示】
【発明が解決しようとする課題】
【０００４】
近年の携帯電話機は、暗所におけるカメラの撮像用に高輝度のＬＥＤライトを搭載している場合が多い。そして、このＬＥＤライトは、カメラの撮像機能とは別の機能として、懐中電灯のように単独で点灯させることが可能となっている場合が多い。しかしながら、このライト機能は携帯電話機の機能の中でも補助機能に該当するため、ユーザがライト機能を使用したい場合には、キーを長押ししたりＵＩに従って複雑な操作を行ったりする仕様になっており、ユーザが直ぐにライト機能を使用したい場合であっても、即座に起動できるような実装にはなっていないという問題があった。
【０００５】
本発明は、上記課題を鑑みなされてものであり、周囲を照らすライトを備え、ユーザによる簡単な操作でこのライトを点灯させることができる電子機器を提供することを目的とする。
【課題を解決するための手段】
【０００６】
上記課題を解決するために、本発明に係る電子機器は、周囲を照らすライトを備えるとともに、少なくとも第１の形態、第２の形態に変形する電子機器であって、第１の形態から第２の形態に変形されたことを検出する検出手段と、周囲の照度を測定する測定手段と、前記検出手段により変形が検出されたときに、前記測定手段により測定された照度が第１の所定値以下であるか否かを判断する第１の判断手段と、現在時刻が所定の時刻であるか否かを判断する第２の判断手段と、前記第１の判断手段により、前記測定された照度が前記第１の所定値以下であると判断されるとともに、第２の判断手段により、現在時刻が所定の時刻であると判断された場合、前記ライトを点灯させる点灯制御手段と、を備えたことを特徴とする。
【発明の効果】
【０００７】
本発明に係る電子機器によると、周囲を照らすライトと周囲の照度を測定する照度センサを備え、ユーザが所定の操作を行ったときに、照度センサの測定値と現在時刻に基づいてこのライトを点灯させることで、ユーザによる簡単な操作でライトを点灯させることが可能となる。
【発明を実施するための最良の形態】
【０００８】
〔第１実施形態〕
本発明に係る電子機器の第１実施形態について、図１乃至図６を参照しながら説明する。第１実施形態の電子機器として、複数の筐体が開閉自在に結合されてなるクラムシェル型の携帯電話機１を例にあげて説明する。第１実施形態ではクラムシェル型の携帯電話機について説明するが、複数の形態に変形する携帯電話機であれば良く、例えば複数の筐体が二軸回転自在に結合されてなるスイーベル型や、複数の筐体が相互にスライド自在に結合されてなるスライド型の携帯電話機等であっても良い。
【０００９】
図１は、携帯電話機１の開いた状態を示す正面図、図２は、携帯電話機１の開いた状態を示す背面図である。携帯電話機１は、図１及び図２に示すように、主に、矩形の板状の上筐体１０と、この上筐体１０とほぼ同形状をした下筐体１１とにより構成されていて、これらの上筐体１０及び下筐体１１は、閉じた状態において相互に一面を覆うように積層されている。上筐体１０及び下筐体１１は、ヒンジ部１２を挟むようにヒンジ結合されていて、上筐体１０は下筐体１１に対して、ヒンジ部１２を軸にして、図１及び図２のＸ方向に所定角度だけ回転自在なように形成されている。携帯電話機１は、上筐体１０を下筐体１１に対して回転させることにより、閉じた状態から開いた状態に、あるいは開いた状態から閉じた状態に変形する。
【００１０】
上筐体１０の内面（下筐体１１に対面する側の面）１０ａには、文字や画像等を含んだ表示情報を表示するためのディスプレイ１３、通話相手から受信した音声を出力するためのレシーバ１４、周囲の照度を検知するための照度センサ１５が設けられている。照度センサ１５は、例えばフォトダイオードやフォトトランジスタを用いて光を検知するセンサである。これらのディスプレイ１３やスピーカ１４、照度センサ１５は、携帯電話機１が閉じた状態のときには、下筐体１１により覆われていて外部に露出していないが、上筐体１０を下筐体１１に対して回転させて開いた状態に変形させたときには、外部に露出される。
【００１１】
上筐体１０の側面には、音声を出力するためのスピーカ１４ａが、内面１０ａ及び外面（下筐体１１と対面しない側の面）１０ｂに連続するように設けられている。これらのスピーカ１４ａは、携帯電話機１が開いた状態であっても閉じた状態であっても外部に露出されるように設けられている。
【００１２】
下筐体１１の内面（上筐体１０に対面する側の面）１１ａには、例えば電源のＯＮ／ＯＦＦを切り替えるための電源キーや発呼処理を行うための発呼キー、数字や文字を入力するためのテンキー、メール機能やＷｅｂ機能を起動するためのショートカットキー等からなる操作キー１６が設けられている。また下筐体１１には、音声を集音するためのマイクロフォン１７が設けられている。これらの操作キー１６やマイクロフォン１７は、携帯電話機１が閉じた状態のときには、上筐体１０により覆われていて外部に露出していないが、上筐体１０を下筐体１１に対して回転させて開いた状態に変形させたときには、外部に露出される。
【００１３】
下筐体１１の外面（上筐体１０に対面しない側の面）１１ｂには、外部の風景を撮像するためのＣＣＤカメラ１８、周囲を照らすための例えばＬＥＤ（ｌｉｇｈｔ−ｅｍｉｔｔｉｎｇ  ｄｉｏｄｅ）ライト等のライト１９が設けられている。これらのＣＣＤカメラ１８やライト１９は、携帯電話機１が閉じた状態であっても開いた状態であっても外部に露出されるように設けられている。
【００１４】
次に、携帯電話機１の機能について、図３に示す機能ブロック図を用いて説明する。携帯電話機１は、図３に示すように、主制御部２０、操作入力部２１、表示処理部２２、画像処理部２３、音声処理部２４、無線部２５、記憶部２６、外部インタフェース部２７、開閉検出部２８、及び照度センサ入力部２９がバスやシリアルインタフェースによって相互に通信可能に接続されて構成されている。
【００１５】
主制御部２０は、ＣＰＵ（Ｃｅｎｔｒａｌ  Ｐｒｏｃｅｓｓｉｎｇ  Ｕｎｉｔ）を具備し、携帯電話機１の総括的な制御を行うとともに、後述するライト制御処理や、その他の様々な演算処理や制御処理等を行う。また主制御部２０は、現在時刻を計時している。操作入力部２１は操作キー１６に対する入力インタフェースを備え、操作キー１６が押下された際に、この押下された操作キー１６を示す信号を生成して主制御部２０に伝送する。
【００１６】
表示処理部２２はディスプレイ１３に対する表示インタフェースを備え、主制御部２０の制御に基づいて、文書や画像等を含んだ表示情報をディスプレイ１３に表示する。画像処理部２３は、ＣＣＤカメラ１８により撮像された画像データを取得して、ＭＰＥＧ（Ｍｏｖｉｎｇ  Ｐｉｃｔｕｒｅ  Ｅｘｐｅｒｔｓ  Ｇｒｏｕｐ）−４等の所定形式に圧縮符号化して、主制御部２０に伝送する。また画像処理部２３は、ＣＣＤカメラ１８により撮像されている画像の画像信号を表示処理部２２に伝送し、画像信号を受信した表示処理部２３は、この画像信号に基づいてディスプレイ１３に撮像画像を表示する。
【００１７】
音声処理部２４は、主制御部２０の制御に基づいて、マイクロフォン１７で集音した音声からアナログ音声信号を生成し、このアナログ音声信号をデジタル音声信号に変換して主制御部２０に伝送する。また音声処理部２４は、デジタル音声信号を取得すると、主制御部２０の制御に基づいて、このデジタル音声信号をアナログ音声信号に変換し、レシーバ１４またはスピーカ１４ａから音声として出力する。
【００１８】
無線部２５は基地局（図示せず）に対して信号を送受信するアンテナ２５ａを備えていて、主制御部２０の制御に基づいて、基地局から受信信号を受信し、この受信信号に対してスペクトラム逆拡散処理してデータを復元する。このデータは、主制御部２０の制御に基づいて、音声処理部２４に伝送されてレシーバ１４やスピーカ１４ａから出力されたり、表示処理部２２に伝送されてディスプレイ１３に表示されたり、または記憶部２６に記憶されたりする。
【００１９】
また無線部２５は、主制御部２０の制御に基づいて、マイクロフォン１７を介して入力された音声信号や操作キー１６を介して入力されたデータ、または記憶部２６に記憶されたデータを取得し、これらのデータに対してスペクトラム拡散処理を行い、基地局に対してアンテナ２５ａを介して送信する。
【００２０】
記憶部２６は、主制御部２０が行う処理の処理プログラムや処理に必要なデータ等を格納するＲＯＭ（Ｒｅａｄ  Ｏｎｌｙ  Ｍｅｍｏｒｙ）やハードディスク、不揮発性メモリ、主制御部２０が処理を行う際に使用されるデータを一時的に記憶するＲＡＭ（Ｒａｎｄｏｍ  Ａｃｃｅｓｓ  Ｍｅｍｏｒｙ）等から構成される。また、主制御部２０が後述するライト制御処理を行う際の処理プログラムは、例えばＲＯＭに記憶されているものとする。
【００２１】
外部インタフェース部２７は、充電器やＰＣ（Ｐｅｒｓｏｎａｌ  Ｃｏｍｐｕｔｅｒ）等の外部機器に対するインタフェースを備えていて、携帯電話機１にこれらが接続された際に、外部機器から電力の供給を受けたり、外部機器に対してデータの読み込みや書き込みを行ったりする。
【００２２】
開閉検出部２８は、例えば磁石やホールＩＣを用いて携帯電話機１の開閉状態を検知して、この開閉状態を示す信号を主制御部２０に伝送する。すなわち、例えば携帯電話機１の上筐体１０及び下筐体１１は所定位置に磁石やホールＩＣを内蔵していて、開閉検出部２８は、ホールＩＣで検出された信号に基づいて携帯電話機１の開閉状態を判断し、携帯電話機１の開閉状態を示す信号を生成して、この信号を主制御部２０に伝送する。また、開閉検出部２８は、携帯電話機１が閉じた状態から開いた状態に変形したことを検出したときに、携帯電話機１が開かれたことを示す信号を主制御部２０に伝送する。
【００２３】
照度センサ入力部２９は、照度センサ１５のＯＮ／ＯＦＦ状態を切り替え、照度センサ１５を起動したり終了したりする。また照度センサ入力部２９は、主制御部２０の制御部に基づいて、照度センサにより検知された照度を取得し、この照度を示す信号を生成して主制御部２０に伝送する。
【００２４】
携帯電話機１は、例えばユーザが携帯電話機１を操作するときにディスプレイ１３のバックライトを点灯させる必要があるかどうかを判断するために、照度センサ１５を備えている。この照度センサ１５は外光の照度を測定することができる。また携帯電話機１は、この照度センサ１５を利用してライト１９の点灯を制御する機能を備えている。すなわち携帯電話機１は、図４に示すように、ユーザが携帯電話機１を動作させようとして携帯電話機１を閉じた状態から開いた状態に変形させたときに、照度センサ１５を作動させて外光の照度を測定し、この測定値に基づいて、ライト１５の点灯を制御する。
【００２５】
また、携帯電話機１の記憶部２６は、ライト１９の点灯を制御するためのライト制御情報３０を記憶している。ライト制御情報３０は、図５に示すように、少なくとも、ライト１９を点灯する時刻を示すライト点灯時刻情報３１と、ライト１９を点灯させる照度を示すライト点灯照度情報３２とを含んでいる。例えば図５に示すライト制御情報３０によると、ライト点灯時刻として「２４：００乃至６：００」、ライト点灯照度として「５０ルックス以下」が記憶されている。
【００２６】
携帯電話機１は、図４に示すように、照度センサ１５による測定値とライト制御情報３０とを照らし合わせ、さらに現在時刻とライト制御情報３０とを照らし合わせ、双方が所定の条件を満たしていた場合にのみライト１９を点灯させる。携帯電話機１がこのライト制御処理を行う際の手順について、図６に示すフローチャートに基づいて説明する。以下、例えば「ステップＳ１０１」を「Ｓ１０１」のように、「ステップ」の語句を省略して説明する。
【００２７】
始めに主制御部２０は、携帯電話機１が開かれたか否か、すなわち携帯電話機１が閉じた状態から開いた状態に変形したか否かを判断する（Ｓ１０１）。この際、開閉検出部２８から携帯電話機１が開かれたことを示す信号を取得したことに基づいて、携帯電話機１が開かれたものと判断される。携帯電話機１が開かれていない場合（Ｓ１０１のＮｏ）は、主制御部２０はそのまま待機する。
【００２８】
携帯電話機１が開かれた場合（Ｓ１０１のＹｅｓ）は、主制御部２０は、照度センサ１５を起動する（Ｓ１０３）。なお、照度センサ１５は、携帯電話機１が閉じた状態にあるときには外部に露出していないため、ＯＦＦ状態に設定されている。そして照度センサ１５は、携帯電話機１が開かれたときに外部に露出されるので、これと同時に、ＯＮ状態に設定される。また、主制御部２０は、照度センサ１５により測定された照度を取得する（Ｓ１０５）。この際、照度センサ入力部２９から照度を示す信号を受信することで、照度を取得する。
【００２９】
主制御部２０は、ステップＳ１０５にて取得した照度が所定値以下であるか否かを判断する（Ｓ１０７）。このときの所定値は、例えば記憶部２６に記憶されているライト制御情報３０のライト点灯照度３２に示されている照度である。図５に示すライト制御情報３０によると「５０ルックス以下」と示されているため、ステップＳ１０５にて取得した照度が５０ルックス以下であった場合に、照度が所定値以下であるものと判断される。
【００３０】
ステップＳ１０５にて取得した照度が所定値以下でなかった場合（Ｓ１０７のＮｏ）には、携帯電話機１の周囲が十分に明るいものと考えられ、ライト１９を点灯させる必要性が低いため、主制御部２０はライト１９を点灯させずにライト制御処理を終了する。
【００３１】
ステップＳ１０５にて取得した照度が所定値以下であった（照度センサ１５が暗部を検出した）場合（Ｓ１０７のＹｅｓ）は、主制御部２０は現在時刻を取得する（Ｓ１０９）。また主制御部２０は、記憶部２６に記憶されているライト制御情報３０からライト点灯時刻を取得する（Ｓ１１１）。例えば図５に示すライト制御情報３０によると、「２４：００乃至６：００」のライト点灯時刻が取得される。
【００３２】
主制御部２０は、現在時刻がライト点灯時刻であるか否かを判断する（Ｓ１１３）。例えばステップＳ１０９にて「１５：００」の現在時刻を取得した場合には、現在時刻がステップＳ１１１にて取得した「２４：００乃至６：００」のライト点灯時刻に含まれていないため、現在時刻がライト点灯時刻ではないと判断される。また、例えばステップＳ１０９にて「３：００」の現在時刻を取得した場合には、現在時刻がステップＳ１１１にて取得した「２４：００乃至６：００」のライト点灯時刻に含まれているため、現在時刻がライト点灯時刻であると判断される。
【００３３】
現在時刻がライト点灯時刻でなかった場合（Ｓ１１３のＮｏ）は、主制御部２０はライト１９を点灯させずにライト制御処理を終了する。一方で、現在時刻がライト点灯時刻であった場合（Ｓ１１３のＹｅｓ）は、主制御部２０は、ライト１９を点灯させる（Ｓ１１５）。
【００３４】
このようにして携帯電話機１において、ユーザが携帯電話機１を開く等により携帯電話機１を動作させたことに基づいて、照度センサ１５を作動させて外光の照度の測定を行い、もし測定値が閾値以下であるとともに、現在時刻がその所定の時刻範囲内であった場合に、ライト１９の点灯を開始する。これにより、例えばユーザが夜中に携帯電話機１を操作した場合等に、周囲が暗かった場合にのみ自動でライト１９が点灯するため、ユーザが暗闇の中で複雑な操作をしてライト１９を点灯させる必要がなくなる。
【００３５】
なお、携帯電話機１において、携帯電話機１が開かれたときにライト１９を点灯させるかどうかの設定機能を備え、ライト１９を点灯させるように設定されている場合にのみ、携帯電話機１が開かれたことに基づいてステップＳ１０１乃至Ｓ１１５に示すライト１９を点灯させる処理を行うようにすると良い。
【００３６】
また第１実施形態では、携帯電話機１が開かれたことに基づいてライト１９を点灯させる例について説明したが、これに限らず、所定の操作キー１５が押下された場合等、任意のタイミングでステップＳ１０３乃至Ｓ１１５に示すライト１９を点灯させる処理を行って良い。
【００３７】
第１実施形態によると、周囲を照らすライト１９と周囲の照度を測定する照度センサ１５を備え、ユーザが所定の操作（例えば携帯電話機１の開閉操作）を行ったときに、照度センサ１５の測定値と現在時刻に基づいてこのライト１９を点灯させることで、ユーザによる簡単な操作でライト１９を点灯させることが可能となる。
【００３８】
〔第２実施形態〕
本発明に係る電子機器の第２実施形態について、図７乃至図９を参照しながら説明する。以下、第１実施形態と同一の構成には同一の符号を付し、重複する説明を省略する。第２実施形態の電子機器は、図１及び図２に示すように、第１実施形態の携帯電話機１と同一の構成を備えている。
【００３９】
また第２実施形態の携帯電話機１は、第１実施形態の携帯電話機１と同様に、図３に示すように、主制御部２０、操作入力部２１、表示処理部２２、画像処理部２３、音声処理部２４、無線部２５、記憶部２６、外部インタフェース部２７、開閉検出部２８、及び照度センサ入力部２９がバスやシリアルインタフェースによって相互に通信可能に接続されて構成されている。
【００４０】
ここで、第１実施形態の携帯電話機１は、現在時刻と、照度センサ１５による測定値が所定の閾値より大きいか小さいかとで、ライト１９を点灯させるか否かの判断を行うが、照度センサ１５による測定値が閾値に似通った値である場合等、ユーザがライト１９を点灯させるか否かを自ら判断したい状況も考えられる。
【００４１】
そこで、第２実施形態の携帯電話機１は、図７に示すように、ユーザが携帯電話機１を動作させようとして携帯電話機１を閉じた状態から開いた状態に変形させたときに、現在時刻と、照度センサ１５による測定値が第１の閾値より小さいか、第１の閾値より大きく第２の閾値より小さいか、第２の閾値より大きいかとで、ライト１９を点灯させるか否かの判断を行う。そして、照度センサ１５による測定値が第１の閾値より大きく第２の閾値より小さい場合に、ディスプレイ１３にダイアログを表示する等によりユーザにライト１９を点灯させるか否かの選択を促し、この選択結果に基づいてライト１９を点灯させる。
【００４２】
また記憶部２６は、ライト１９の点灯を制御するためのライト制御情報３０Ａを記憶している。ライト制御情報３０Ａは、図８に示すように、少なくとも、ライト１９を点灯する時刻を示すライト点灯時刻情報３３と、ライト１９を点灯させる照度を示す第１のライト点灯照度情報３４と、ライト１９を必要に応じて点灯させる第２のライト点灯照度情報３５と、ライト１９を消灯させる照度を示すライト消灯照度情報３６と、を含んでいる。
【００４３】
例えば図８に示すライト制御情報３０Ａによると、ライト点灯時刻として「１２：００〜６：００」、第１のライト点灯照度として「３０ルックス以下」、第２のライト点灯照度として「３０ルックス乃至８０ルックス」、ライト消灯照度として「８０ルックス以上」が記憶されている。
【００４４】
携帯電話機１は、図７に示すように、照度センサ１５による測定値とライト制御情報３０Ａとを照らし合わせ、さらに現在時刻とライト制御情報３０Ａとを照らし合わせ、現在時刻がライト点灯時刻であるとともに、照度センサ１５による測定値が第１のライト点灯照度を満たしていた場合にのみライト１９を点灯させる。また、同様に閉じた状態から開いた状態に変形したときに、現在時刻がライト点灯時刻であるとともに、照度センサ１５による測定値が第２のライト点灯照度を満たしていた場合に、ユーザの指示に基づいてライト１９を点灯させる。
【００４５】
携帯電話機１がこのライト制御処理を行う際の手順について、図９に示すフローチャートに基づいて説明する。始めに主制御部２０は、携帯電話機１が開かれたか否か、すなわち携帯電話機１が閉じた状態から開いた状態に変形したか否かを判断する（Ｓ２０１）。この際、開閉検出部２８から携帯電話機１が開かれたことを示す信号を取得したことに基づいて、携帯電話機１が開かれたものと判断される。携帯電話機１が開かれていない場合（Ｓ２０１のＮｏ）は、主制御部２０はそのまま待機する。
【００４６】
携帯電話機１が開かれた場合（Ｓ２０１のＹｅｓ）は、主制御部２０は、照度センサ１５を起動する（Ｓ２０３）。また、主制御部２０は、照度センサ１５により測定された照度を取得する（Ｓ２０５）。この際、照度センサ入力部２９から照度を示す信号を受信することで、照度を取得する。
【００４７】
主制御部２０は、ステップＳ２０５にて取得した照度が第１の所定値以下であるか否かを判断する（Ｓ２０７）。このときの第１の所定値は、例えば記憶部２６に記憶されているライト制御情報３０Ａの第１のライト点灯照度３４に示されている照度である。図８に示すライト制御情報３０Ａによると「３０ルックス以下」と示されているため、ステップＳ２０５にて取得した照度が３０ルックス以下であった場合に、照度が第１の所定値以下であるものと判断される。
【００４８】
ステップＳ２０５にて取得した照度が第１の所定値以下であった（照度センサ１５が暗部を検出した）場合（Ｓ２０７のＹｅｓ）は、主制御部２０は現在時刻を取得する（Ｓ２０９）。また主制御部２０は、記憶部２６に記憶されているライト制御情報３０Ａからライト点灯時刻を取得する（Ｓ２１１）。例えば図５に示すライト制御情報３０Ａによると、「２４：００乃至６：００」のライト点灯時刻が取得される。
【００４９】
主制御部２０は、現在時刻がライト点灯時刻であるか否かを判断する（Ｓ２１３）。現在時刻がライト点灯時刻でなかった場合（Ｓ２１３のＮｏ）は、主制御部２０はライト１９を点灯させずにライト制御処理を終了する。一方で、現在時刻がライト点灯時刻であった場合（Ｓ２１３のＹｅｓ）は、主制御部２０は、ライト１９を点灯させる（Ｓ２１５）。
【００５０】
ステップＳ２０５にて取得した照度が第１の所定値以下でなかった場合（Ｓ２０７のＮｏ）は、主制御部２０は、ステップＳ２０５にて取得した照度が第２の所定値以下であるか否かを判断する（Ｓ２１７）。このときの第２の所定値は、例えば記憶部２６に記憶されているライト制御情報３０Ａの第２のライト点灯照度３５に示されている照度である。図８に示すライト制御情報３０Ａによると「３０ルックス乃至８０ルックス」と示されているため、ステップＳ２０５にて取得した照度が８０ルックス以下であった場合に、照度が第２の所定値以下であるものと判断される。
【００５１】
ステップＳ２０５にて取得した照度が第２の所定値以下であった（照度センサ１５がやや暗部を検出した）場合（Ｓ２１７のＹｅｓ）は、主制御部２０は現在時刻を取得する（Ｓ２１９）。また主制御部２０は、記憶部２６に記憶されているライト制御情報３０Ａからライト点灯時刻を取得する（Ｓ２２１）。例えば図５に示すライト制御情報３０Ａによると、「２４：００乃至６：００」のライト点灯時刻が取得される。
【００５２】
主制御部２０は、現在時刻がライト点灯時刻であるか否かを判断する（Ｓ２２３）。現在時刻がライト点灯時刻でなかった場合（Ｓ２２３のＮｏ）は、主制御部２０はライト１９を点灯させずにライト制御処理を終了する。
【００５３】
現在時刻がライト点灯時刻であった場合（Ｓ２２３のＹｅｓ）は、主制御部２０は、ディスプレイ１３にライト点灯ダイアログ（図示せず）を表示する。ライト点灯ダイアログは、ユーザに対してライト１９を点灯させるか否かの選択を促すためのダイアログであり、ユーザはこのダイアログに基づいてライト１９を点灯させるか点灯させないかを操作キー１６を用いて選択する。
【００５４】
主制御部２０は、ライト１９を点灯させるように指示されたか否かを判断する（Ｓ２２７）。この際、例えば所定の操作キー１６の入力に基づいて、ライト１９を点灯されるように指示されたものと判断する。ライト１９を点灯させるように指示された場合（Ｓ２２７のＹｅｓ）は、主制御部２０はライト１９を点灯させる（Ｓ２２９）。
【００５５】
ステップＳ２０５にて取得した照度が第２の所定値以下でなかった場合（Ｓ２１７のＮｏ）、現在時刻がライト点灯時刻でなかった場合（Ｓ２２３のＮｏ）、またはライト１９を点灯させないように指示された場合（Ｓ２２７のＮｏ）には、携帯電話機１の周囲が十分に明るいものと考えられ、ライト１９を点灯させる必要性が低いため、主制御部２０はライト１９を点灯させずにライト制御処理を終了する。
【００５６】
このようにして携帯電話機１において、ユーザが携帯電話機１を開く等により携帯電話機１を動作させたことに基づいて、照度センサ１５を作動させて外光の照度の測定を行い、もし測定値が閾値以下であるとともに、現在時刻が所定の時刻範囲内であった場合に、ライト１９の点灯を開始する。また、測定値が所定の範囲内であるとともに、現在時刻が所定の時刻範囲内であるならライト１９の点灯を促すようなダイアログを画面に表示し、ユーザによりライト１９の点灯が指示された場合にのみ、ライト１９の点灯を開始する。
【００５７】
これにより、例えばユーザが夜中に携帯電話機１を操作した場合等に、周囲が暗かった場合にのみ自動でライト１９が点灯し、周囲が少し暗かった場合にはユーザ自身がライト１９を点灯させるかどうかの判断を行うことができるため、ユーザが暗闇の中で複雑な操作をしてライト１９を点灯させる必要がなくなる。
【００５８】
第２実施形態によると、周囲を照らすライト１９と周囲の照度を測定する照度センサ１５を備え、ユーザが所定の操作（例えば携帯電話機１の開閉操作）を行ったときに、照度センサ１５の測定値と現在時刻に基づいてこのライト１９を点灯させたり、ユーザにライト１９を点灯させるかどうかの選択を促した後にライト１９を点灯させたりすることで、ユーザによる簡単な操作でライト１９を点灯させることが可能となる。
【００５９】
本発明の説明として、携帯電話機１について説明したが、これに限らず、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）、デジタルカメラ、ビデオカメラ、携帯オーディオ機器、携帯ビデオ機器等、複数の形態に変形する電子機器であれば、任意の電子機器であって良い。
【図面の簡単な説明】
【００６０】
【図１】本発明に係る携帯電話機の開いた状態を示す正面図。
【図２】本発明に係る携帯電話機の開いた状態を示す背面図。
【図３】本発明に係る携帯電話機を示す機能ブロック図。
【図４】第１実施形態の携帯電話機におけるライト制御処理を説明するための概念図。
【図５】第１実施形態のライト制御情報の一例を示すデータ構成図。
【図６】第１実施形態の携帯電話機がライト制御処理を行う際の手順を示すフローチャート。
【図７】第２実施形態の携帯電話機におけるライト制御処理を説明するための概念図。
【図８】第２実施形態のライト制御情報の一例を示すデータ構成図。
【図９】第２実施形態の携帯電話機がライト制御処理を行う際の手順を示すフローチャート。
【符号の説明】
【００６１】
１…携帯電話機，１０…上筐体，１０ａ…上筐体の内面，１０ｂ…上筐体の外面，１１…下筐体，１１ａ…下筐体の内面，１１ｂ…下筐体の外面，１２…ヒンジ部，１３…ディスプレイ，１４…レシーバ，１４ａ…スピーカ，１５…照度センサ，１６…操作キー，１７…マイクロフォン，１８…ＣＣＤカメラ，１９…ライト，２０…主制御部，２１…操作入力部，２２…表示処理部，２３…画像処理部，２４…音声処理部，２５…無線部，２５ａ…アンテナ，２６…記憶部，２７…外部インタフェース部，２８…開閉検出部，２９…照度センサ入力部，３０、３０Ａ…ライト制御情報。
【図１】
0005125720.tif 000002
【図２】
0005125720.tif 000003
【図３】
0005125720.tif 000004
【図４】
0005125720.tif 000005
【図５】
0005125720.tif 000006
【図６】
0005125720.tif 000007
【図７】
0005125720.tif 000008
【図８】
0005125720.tif 000009
【図９】
0005125720.tif 000010